(57)【要約】【課題】  床と平行な方向、すなわち床と水平方向における圧縮または引張りの力が加わる環境においても、割れや欠損を生じ難い床材の提供。【解決手段】    床化粧面と裏面とを有する無機質板からなり、前記裏面に、厚み方向に貫通している貫通孔が複数配設された金属板を接着してなる床材は、床水平方向に圧縮するまたは引っ張る力に対して改善された強度を有し、と水平方向における圧縮または引張りの力が加わる床面に敷設して好ましく用いられる。【選択図】  図５
2019065508.tif 000002
【特許請求の範囲】
【請求項１】
床化粧面と裏面とを有する無機質板からなり、前記裏面に、厚み方向に貫通している貫通孔が複数配設された金属板を接着してなる床材であって、
床水平方向に圧縮するまたは引っ張る力が加わる床面に敷設して用いられる、床材。
【請求項２】
前記金属板が、パンチングメタルである、請求項１に記載の床材。
【請求項３】
床水平方向に圧縮するまたは引っ張る力が加わる床面が、構造壁に接する床面、柱周り、出隅部、昇降手段の周縁部の床面である、請求項１または２に記載の床材。
【発明の詳細な説明】
【技術分野】
【０００１】
本発明は、パンチングメタルにより裏打された無機質板からなる床材に関する。
【背景技術】
【０００２】
床材、内装または外装材としてタイルなどの無機質板が広く用いられている。この無機質板はある程度の強度を有するものであるが、さらにその強度を向上させるため、あるいは反り等の変形を防止するため、裏打がされることがある。
【０００３】
このような裏打がされた無機質板、とりわけ金属板により裏打された無機質板による床構造として、例えば、特開２００４−１５６４０３号公報（特許文献１）は、下地材の継ぎ目に跨って金属板が配置され、その上にタイルが張り付けられた床構造を開示し、また特開２００９−１３３０６７号公報（特許文献２）は、多数の孔を設けた金属板を張り合わせた石質床材を開示する。しかしながら、これら先行技術には、床面の上下方向に加わる荷重に対する配慮はあるが、裏打された床材について、床と平行な方向における圧縮または引張りの力が加わる環境での使用を前提した技術思想の開示はない。
【先行技術文献】
【特許文献】
【０００４】
【特許文献１】特開２００４−１５６４０３号公報
【特許文献２】特開２００９−１３３０６７号公報
【発明の概要】
【発明が解決しようとする課題】
【０００５】
本発明は、床と平行な方向、すなわち床と水平方向における圧縮または引張りの力が加わる環境においても、割れや欠損を生じ難い床材の提供をその目的としている。
【課題を解決するための手段】
【０００６】
そして、本発明による床材は、
床化粧面と裏面とを有する無機質板からなり、前記裏面に、厚み方向に貫通している貫通孔が複数配設された金属板を接着してなる床材であって、
床水平方向に圧縮するまたは引っ張る力が加わる床面に敷設して用いられるものである。
【図面の簡単な説明】
【０００７】
【図１】床化粧板１を構成する無機質板１１と裏打材１２と接着させる前の状態を表す図である。
【図２】パンチングメタルの平面図である。
【図３】図１においてＡと示される部分の拡大図である。
【図４】無機質板１１と裏打材１２と接着させた後の床化粧板１の模式図である。
【図５】構造壁に二方を囲まれた場所に床化粧板１を敷設した説明図で会える。図中の壁２１および２２より、床化粧板１は、建物の温度等の環境変化による変形、振動、さらに地震などによる応力を図中矢印の方向に受ける。
【発明を実施するための形態】
【０００８】
定義
無機質板
本発明において用いられる無機質板は、例えば陶磁器、石、またはガラスからなり、床の仕上材として用いられる。従って、無機質板は、好ましくは意匠が施された床化粧面と、裏面とを備える。また、その大きさは限定されないが、比較的大型の無機質板を好ましく用いることが出来、本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。
【０００９】
さらに本発明は、比較的薄い無機質板に好ましく適用できる。大型の陶磁器板では軽量化のため、例えば厚さは３ｍｍ以上１５ｍｍ程度まで、好ましくは１０ｍｍ程度まで、より好ましくは８ｍｍ程度まで、さらに好ましくは６ｍｍ程度までとされる。
【００１０】
本発明において無機質板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００１１】
裏打材
本発明において用いられる裏打材は、厚み方向に貫通している貫通孔が複数配設された金属板である。本発明において、このような金属板は、パンチングメタル、打ち抜き金網、パーフォレーテッドメタル等の名で呼ばれるものである。穴の開いた割合、すなわち開口率は、無機質板の強度を向上出来る限り、特に限定されない。また、穴の形状も特に限定されず、またその配置、配列も、無機質板の強度を向上出来る限り適宜決定されてよい。また、本発明の一つの態様によれば、金属板の厚みも適宜決定されてよいが、無機質板よりも薄く、例えば無機質板の１０％程度の厚さであることが好ましい。
【００１２】
床材
本発明において用いられる床材１は、上記無機質板に、上記裏打材を接着させたものである。その基本構造は図１〜４に示される通りである。図１は、床材１を構成する無機質板１１と裏打材１２と接着させる前の状態を表す図であり、裏打材１２は、好ましくは図２に示されるような丸い穴が複数あけられたパンチングメタルである。図３は、図１においてＡと示される部分の拡大図であり、無機質板１１とパンチングメタル１２とが対抗しておかれる。
【００１３】
本発明にあっては、無機質板１１と、裏打材であるパンチングメタル１２とは接着剤により接着され一体とされる。このように一体化することで、厚みをそれほど増加させずに、全体の強度を向上させることができる。図４は、無機質板１１と裏打材１２と接着させた後の床材１の模式図である。
【００１４】
無機質板１１とパンチングメタル１２との間には接着剤が介在するが、穴の部分は無機質板１１が露出していることが好ましく、穴の部分には接着剤が存在しないことが、より好ましい。これにより、床材を床下地に接着する際に、床材は裏打材と床下地の双方に接着され強固な接着力が得られる。そして、このような床材は、床下地に強固に接着されつつ床水平方向の伸縮による応力を裏打材が遮断して、無機質板の割れ又は欠損が生じ難くなる。無機質板とシート状の裏打材とを一体化して、無機質板と床下地とを裏打材で絶縁すると、水平方向の伸縮により床材の剥離が生じやすくなるため、床材と床下地材とを強固に接着することができなかったが、本発明はこの相反する課題、すなわち強固な接着と剥離とのトレードオフを解決することができる。
【００１５】
上記の無機質板１１とパンチングメタル１２との間には接着剤が介在するが、穴の部分は無機質板１１が露出しており、穴の部分には接着剤が存在しない床材は、パンチングメタルの側に接着剤を塗布し、陶板と圧着させることにより、好ましく製造できる。
【００１６】
床材が用いられる環境
本発明による床材は、床水平方向に圧縮するまたは引っ張る力が加わる床面に敷設して用いられる。上記した無機質板に貫通孔を複数配設された金属板を接着してなる床材は、床材の上からの力が加わったときの曲げまたは衝撃に強いことに加え、床材の面方向、すなわち、床と水平な方向の圧縮するまたは引っ張る力に対して改善された強度を有し、割れまたは欠損を生じ難いという利点が得られる。
【００１７】
従来知られた裏打材である繊維を用いた場合、床材の上からの力が加わったときの曲げまたは衝撃に対する強度の改善は図られるが、床と水平な方向の圧縮するまたは引っ張る力に対しては、顕著な強度改善は見られなかった。また、貫通孔を有しない単なる金属板の裏打では、強度の向上は見られるが、裏打材の温度の変化にともなう膨張収縮が大きく、場合より無機質板に反りや曲げ力が加わり悪影響を与える恐れがある。この点、貫通孔が多数設けられた金属板を用いる本発明にあっては、温度変化による金属板の膨張収縮の影響をこの貫通孔部分が吸収し、無機質板への影響が少ない点で有利である。
【００１８】
本発明による床材は、このような改善された強度を有するものであるため、例えば、構造壁に接する床面に設置されても、振動、地震による床平行方向の変形力、あるいは構造壁から加わる温度変化による床水平方向の変形力に抗し、容易に割れたり欠けたりしない。図５は、構造壁に二方を囲まれた場所の模式図であり、壁２１および２２に接して、床材１が敷設されている。図中の壁２１および２２は構造壁であり、建物の温度等の環境変化による変形、振動、さらに地震などによる応力を構造的に受ける。その結果、変形が大きく、それに接する床材１には、図中の矢印のような方向、つまり床と水平な方向に応力が加わり、床材１を変形させようとする。本発明による床材によれば、このような応力に抗し、割れや欠損を生じさせ難い、との利点が得られる。
【００１９】
柱周り、出隅部などの場所においても同様の変形力が加わる可能性があり、好適に本発明による床材を敷設できる。さらに、昇降手段、例えば階段、エスカレータ、エレベータの周辺部、とりわけ乗降口手前の場所では、床水平方向の変形力が常にまたはしばしば加わり、床材が割れや欠けたりする原因であった。本発明による床材は、これら場所においても好適に利用される。
【符号の説明】
【００２０】
１…床材、１１…無機質板、１２…裏打材、パンチングメタル、２１、２２…構造壁
【図１】
2019065508.tif 000003
【図２】
2019065508.tif 000004
【図３】
2019065508.tif 000005
【図４】
2019065508.tif 000006
【図５】
2019065508.tif 000007
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
床化粧面と裏面とを有する無機質板からなり、前記裏面に、厚み方向に貫通している貫通孔が複数配設された金属板を接着剤により接着してなる床材であって、
前記貫通孔の部分は、前記無機質板が露出しており、
床水平方向に圧縮するまたは引っ張る力が加わる床面に敷設して用いられる、床材。
【請求項２】
前記金属板が、パンチングメタルである、請求項１に記載の床材。
【請求項３】
請求項１または２に記載の床材が、床水平方向に圧縮するまたは引っ張る力が加わる床面である構造壁に接する床面、柱周り、出隅部、昇降手段の周縁部の床面に敷設された床構造。